【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
プロセッサと、
グラフィカル・ユーザ・インターフェースと
を備え、
前記プロセッサは、前記グラフィカル・ユーザ・インターフェースに表示するために少なくとも１つの画面を生成するように構成され、前記少なくとも１つの画面の少なくとも１つは１つまたは複数のパラメータ値を含み、前記プロセッサはさらに、前記１つまたは複数のパラメータ値の変化に応答して、前記１つまたは複数のパラメータ値の少なくとも１つのフォントを視覚的に変えるように構成される、医療機器。
【請求項２】
前記変化は、前記１つまたは複数のパラメータ値の桁数の変化である請求項１に記載の医療機器。
【請求項３】
前記プロセッサは、前記フォントのサイズを変更することにより前記フォントを視覚的に変えるように構成される請求項１に記載の医療機器。
【請求項４】
前記プロセッサは、前記フォントの色を変更することにより前記フォントを視覚的に変えるように構成される請求項１に記載の医療機器。
【請求項５】
前記１つまたは複数のパラメータ値の少なくとも１つはユーザによって指定されなければならない請求項１に記載の医療機器。
【請求項６】
前記１つまたは複数のパラメータ値の１つが患者の体重である請求項１に記載の医療機器。
【請求項７】
前記１つまたは複数のパラメータ値の１つが患者の体表面積である請求項１に記載の医療機器。
【請求項８】
前記１つまたは複数のパラメータ値の１つが投与量の値である請求項１に記載の医療機器。
【請求項９】
前記１つまたは複数のパラメータ値の１つが時間値である請求項１に記載の医療機器。
【請求項１０】
前記１つまたは複数のパラメータ値の１つが輸液予定量の量である請求項１に記載の医療機器。
【請求項１１】
前記１つまたは複数のパラメータ値の１つが輸液速度値である請求項１に記載の医療機器。
【請求項１２】
前記１つまたは複数のパラメータ値の１つが医薬品の濃度値である請求項１に記載の医療機器。
【請求項１３】
少なくとも１つまたは複数のパラメータ値が事前にプログラムされる請求項１に記載の医療機器。
【請求項１４】
前記プロセッサが、前記パラメータ値のサイズを小さくすることにより前記フォントを視覚的に変えるように構成される請求項１に記載の医療機器。
【手続補正２】
【補正対象書類名】明細書
【補正対象項目名】０９９８
【補正方法】変更
【補正の内容】
【０９９８】
さらに、用語「第１の」、「第２の」、「第３の」等は、詳細な説明または特許請求の範囲での使用に関わらず、同様の要素を区別し、他の説明上の目的で提供される。これらの用語は、必ずしも連続した順序や時間的な順序を描写するものではない。そのように使用されるこれらの用語は、該当する状況では相互に入れ替えることが可能であり（明確かつ明瞭に別途指示しない限り）、本明細書に記載される本発明の実施形態は、本明細書に記載または図示される以外の順序および／または構成で機能することが可能であることを理解されたい。
本発明の第１の態様は、
医療エラー低減システムであって、
少なくとも１つの薬物ライブラリを作成し、改訂する際に使用される医療エラー低減ソフトウェアであって、前記ソフトウェアは、複数の特権のセットの１つを複数のユーザ・セットの各々に提供するように構成され、前記複数の特権のセットは各々、一定程度のソフトウェア機能を前記複数のユーザ・セットの１つに割り振るように構成され、前記一定程度のソフトウェア機能は、ユーザが前記少なくとも１つの薬物ライブラリを改変する能力を定義するように構成される、医療エラー低減ソフトウェアと、
少なくとも１つのサーバと、
少なくとも１つのエディタ・コンピュータであって、各々が、ディスプレイと通信状態にあるプロセッサを備え、前記少なくとも１つのエディタ・コンピュータおよび少なくとも１つのサーバが、クライアント／サーバ型モデルでネットワークを介して通信するように構成される、エディタ・コンピュータと
を備え、
前記少なくとも１つの薬物ライブラリは各々、少なくとも１つの医療機器で使用するためのものである医療エラー低減システムである。
本発明の第２の態様は、
前記少なくとも１つの薬物ライブラリの各々が階層に編成される第１の態様のシステムである。
本発明の第３の態様は、
前記階層が、少なくとも１つの看護グループの下位にある複数の看護エリアを含む第２の態様のシステムである。
本発明の第４の態様は、
前記階層の各レベルが、前記少なくとも１つの医療機器のためのいくつかの送液パラメータを含む第２の態様のシステムである。
本発明の第５の態様は、
前記少なくとも１つの薬物ライブラリの各々が、それぞれが特定の医薬品に対応する複数のエントリを含む第１の態様のシステムである。
本発明の第６の態様は、
前記少なくとも１つの薬物ライブラリが、前記少なくとも１つの医療機器の動作を通知するいくつかのパラメータを含む第１の態様のシステムである。
本発明の第７の態様は、
前記薬物ライブラリが、前記少なくとも１つの医療機器について複数のプログラミング制限値を含む第１の態様のシステムである。
本発明の第８の態様は、
前記医療エラー低減ソフトウェアがさらに品質改善情報をユーザに提供するように構成される第１の態様のシステムである。
本発明の第９の態様は、
前記複数の特権のセットの少なくとも１つが、前記複数のユーザ・セットの１つに薬物ライブラリを点検する特権を割り振る第１の態様のシステムである。
本発明の第１０の態様は、
前記複数の特権のセットの少なくとも１つが、前記複数のユーザ・セットの１つに薬物ライブラリを編集する特権を割り振る第１の態様のシステムである。
本発明の第１１の態様は、
前記複数の特権のセットの少なくとも１つが、前記複数のユーザ・セットの１つに、特権セットを編集または作成する特権を割り振る第１の態様のシステムである。
本発明の第１２の態様は、
前記複数の特権のセットの少なくとも１つが、前記複数のユーザ・セットの１つに、ユーザ追加の特権を割り振る第１の態様のシステムである。
本発明の第１３の態様は、
前記複数のユーザ・セットの各々に割り振られた前記複数の特権のセットが、前記少なくとも１つの薬物ライブラリを作成および改訂するために前記複数のユーザ・セット間の協働的なプロセスを強制する第１の態様のシステムである。
本発明の第１４の態様は、
医療エラー低減システムであって、
少なくとも１つのサーバと、
少なくとも１つのエディタ・コンピュータであって、各々が、ディスプレイと通信状態にあるプロセッサを備え、前記少なくとも１つのエディタ・コンピュータおよび少なくとも１つのサーバが、クライアント／サーバ型モデルでネットワークを介して通信するように構成される、エディタ・コンピュータと
少なくとも１つの薬物ライブラリを作成し改訂する際に使用するために前記少なくとも１つのサーバによって実行され、前記少なくとも１つのエディタ・コンピュータを介してアクセスできるように構成された医療エラー低減ソフトウェアであって、前記少なくとも１つの薬物ライブラリは各々、医療機器プロセッサおよび医療機器グラフィカル・ユーザ・インターフェースを備える少なくとも１つの医療機器で使用され、前記グラフィカル・ユーザ・インターフェースは、情報を伝達し個々の医療機器をプログラムするために使用することができるユーザ・インターフェースを表示するように構成され、前記少なくとも１つの薬物ライブラリは各々、ユーザが前記少なくとも１つの医療機器をプログラムするのを誘導する複数のエントリを含む、医療エラー低減ソフトウェアと
を備え、
前記医療エラー低減ソフトウェアは、模擬的な医療機器グラフィカル・ユーザ・インターフェースを表示するように構成され、前記模擬的な医療機器グラフィカル・ユーザ・インターフェースは、前記少なくとも１つの薬物ライブラリから選択された薬物ライブラリを使用して、医療機器の前記医療機器グラフィカル・ユーザ・インターフェースの振る舞いを模倣する、医療エラー低減システムである。
本発明の第１５の態様は、
前記模擬的な医療機器グラフィカル・ユーザ・インターフェースは状況感知型である第１４の態様のシステムである。
本発明の第１６の態様は、
前記医療エラー低減ソフトウェアは、各々が複数のユーザ・セットの１つに割り当てられたいくつかの特権セットを含み、前記いくつかの特権セットは各々、一定程度のソフトウェア機能を前記複数のユーザ・セットの各々に割り振る第１４の態様のシステムである。
本発明の第１７の態様は、
前記模擬的な医療機器グラフィカル・ユーザ・インターフェースは、前記いくつかの特権のセットのオンまたはオフを切り替えることができるソフトウェア機能である第１６の態様のシステムである。
本発明の第１８の態様は、
前記少なくとも１つの薬物ライブラリの各々が階層に編成される第１４の態様のシステムである。
本発明の第１９の態様は、
前記階層が、少なくとも１つの看護グループの下位にある複数の看護エリアを含む第１８の態様のシステムである。
本発明の第２０の態様は、
前記階層の各レベルが、前記少なくとも１つの医療機器のためのいくつかの送液パラメータを含む第１８の態様のシステムである。
本発明の第２１の態様は、
前記少なくとも１つの薬物ライブラリの各々が、それぞれが特定の医薬品に対応する複数のエントリを含む第１４の態様のシステムである。
本発明の第２２の態様は、
前記少なくとも１つの薬物ライブラリが、前記少なくとも１つの医療機器の動作を通知するいくつかのパラメータを含む第１４の態様のシステムである。
本発明の第２３の態様は、
前記薬物ライブラリが、前記少なくとも１つの医療機器について複数のプログラミング制限値を含む第１４の態様のシステムである。
本発明の第２４の態様は、
前記医療エラー低減ソフトウェアがさらに品質改善情報をユーザに提供するように構成される第１４の態様のシステムである。
本発明の第２５の態様は、
患者に医薬品を送液する医療機器であって、
前記医薬品を送液すべきポンプ機構の動作を制御するように構成されたコントローラと、
ディスプレイと、
薬物ライブラリのためのプログラム・コードを記憶するように構成されたコンピュータ読取り可能メモリであって、前記薬物ライブラリは複数のエントリを含み、前記複数のエントリは、施設の一部分に対応する少なくとも１つのエントリと、そのようなエントリごとに少なくとも１つの薬物エントリとを含み、前記少なくとも１つの薬物エントリには各々パラメータが関連付けられており、前記薬物ライブラリ中の少なくとも１つの薬物エントリは、特定の薬物に関連付けられるのではなく広い薬物カテゴリに関連付けられる、コンピュータ読取り可能メモリと、
前記医療機器のディスプレイにグラフィカル・ユーザ・インターフェースを表示するように構成されたプロセッサであって、前記グラフィカル・ユーザ・インターフェースは、ユーザが前記薬物ライブラリを使用して前記コントローラをプログラムするために使用される、プロセッサと
を備える医療機器である。
本発明の第２６の態様は、
ユーザは、特定の薬物に関連付けられるのではなく広い薬物カテゴリに関連付けられた前記薬物ライブラリ中の前記少なくとも１つの薬物エントリの１つを選択して、前記患者への前記医薬品の送液をプログラムすることができる第２５の態様の医療機器である。
本発明の第２７の態様は、
特定の薬物に関連付けられるのではなく広い薬物カテゴリに関連付けられた前記薬物ライブラリ中の前記少なくとも１つの薬物エントリは、医薬品の送液を支配する少なくとも１つのパラメータに関連付けられる第２５の態様の医療機器である。
本発明の第２８の態様は、
前記薬物ライブラリは医療エラー低減ソフトウェアを使用して作成または変更を加えることができる第２５の態様の医療機器である。
本発明の第２９の態様は、
前記ディスプレイがタッチ画面ディスプレイである第２５の態様の医療機器である。
本発明の第３０の態様は、
特定の薬物に関連付けられるのではなく広い薬物カテゴリに関連付けられた前記薬物ライブラリ中の前記少なくとも１つの薬物エントリの少なくとも１つは、前記ユーザが、１時間当たりの量のモードで前記医薬品を送液するように前記医療機器をプログラムすることを可能にする第２５の態様の医療機器である。
本発明の第３１の態様は、
前記複数のエントリは各々少なくとも１つのパラメータに関連付けられる第２５の態様の医療機器である。
本発明の第３２の態様は、
前記少なくとも１つのパラメータのうち少なくとも１つが医薬品送液パラメータである第３１の態様の医療機器である。
本発明の第３３の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々少なくとも１つの医療機器で使用され、前記ソフトウェアは、複数の特権のセットの１つを複数のユーザ・セットの各々に提供するように構成され、前記複数の特権のセットは各々、一定程度のソフトウェア機能を前記複数のユーザ・セットの１つに割り振るように構成される、薬物ライブラリ編集ソフトウェアと、
少なくとも１つのサーバと、
少なくとも１つのエディタ・コンピュータであって、各々が、ユーザ・インターフェースと通信状態にあるプロセッサを備え、前記少なくとも１つのエディタ・コンピュータおよび少なくとも１つのサーバが、クライアント／サーバ型モデルでネットワークを介して通信するように構成される、エディタ・コンピュータと
を備え、
前記複数のユーザ・セットの少なくとも１つは、前記ソフトウェアを使用して、前記少なくとも１つの薬物ライブラリの少なくとも一部分を変更することを要求することができる、医療エラー低減システムである。
本発明の第３４の態様は、
前記複数の特権のセットの少なくとも１つは、ユーザが前記変更の実施を却下することを可能にするように構成される第３３の態様のシステムである。
本発明の第３５の態様は、
前記複数の特権のセットの少なくとも１つは、ユーザが前記変更の実施を承諾することを可能にするように構成される第３３の態様のシステムである。
本発明の第３６の態様は、
前記複数の特権のセットの少なくとも１つは、ユーザが前記変更に対して質問を提出することを可能にするように構成される第３３の態様のシステムである。
本発明の第３７の態様は、
前記複数の特権のセットの少なくとも１つは、ユーザが前記変更の改訂を提案することを可能にするように構成される第３３の態様のシステムである。
本発明の第３８の態様は、
前記サーバが、前記医療エラー低減ソフトウェアを実行するように構成される第３７の態様のシステムである。
本発明の第３９の態様は、
前記一定程度のソフトウェア機能は、ユーザが前記少なくとも１つの薬物ライブラリを改変する能力を定義するように構成される第３３の態様のシステムである。
本発明の第４０の態様は、
前記少なくとも１つの医療機器が輸液ポンプである第３３の態様のシステムである。
本発明の第４１の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々少なくとも１つの医療機器で使用される、薬物ライブラリ編集ソフトウェアと、
前記医療エラー低減ソフトウェアを実行するように構成された少なくとも１つのサーバと、
少なくとも１つのエディタ・コンピュータであって、各々が、ユーザ・インターフェースと通信状態にあるプロセッサを備え、前記ユーザ・インターフェースは、前記少なくとも１つの薬物ライブラリを編集するために１人または複数のユーザによって使用され、前記少なくとも１つのエディタ・コンピュータおよび少なくとも１つのサーバがネットワークを介して通信するように構成される、エディタ・コンピュータと
を備え、
前記１人または複数のユーザの少なくとも１人が、電子的な変更要求を出すことにより前記少なくとも１つの薬物ライブラリへの変更を要求することができる医療エラー低減システムである。
本発明の第４２の態様は、
前記少なくとも１つの医療機器が輸液ポンプである第４１の態様のシステムである。
本発明の第４３の態様は、
前記電子的な変更要求は医療データにリンクすることが可能である第４１の態様のシステムである。
本発明の第４４の態様は、
前記医療データは電子データベースに記憶されて状況情報を提供する第４３の態様のシステムである。
本発明の第４５の態様は、
前記電子データベースがホスト環境にある第４４の態様のシステムである。
本発明の第４６の態様は、
前記医療データが前記少なくとも１つの医療機器から生成される第４３の態様のシステムである。
本発明の第４７の態様は、
前記医療データが、電子データベースに記憶され、前記医療データを生成した前記少なくとも１つの医療機器で使用されている前記少なくとも１つの薬物ライブラリの１つに関連付けられる第４６の態様のシステムである。
本発明の第４８の態様は、
前記医療データが表の形態で表示される第４３の態様のシステムである。
本発明の第４９の態様は、
前記医療データがチャートの形態で表示される第４３の態様のシステムである。
本発明の第５０の態様は、
前記医療データがグラフの形態で表示される第４３の態様のシステムである。
本発明の第５１の態様は、
前記医療データが図の形態で表示される第４３の態様のシステムである。
本発明の第５２の態様は、
前記医療データが輸液事例の形態で表示される第４３の態様のシステムである。
本発明の第５３の態様は、
ユーザは前記薬物ライブラリ編集ソフトウェアを使用して前記医療データを検索することができる第４３の態様のシステムである。
本発明の第５４の態様は、
ユーザは前記薬物ライブラリ編集ソフトウェアを使用して前記医療データをフィルタリングすることができる第４３の態様のシステムである。
本発明の第５５の態様は、
前記医療データは、ユーザによる選択が可能な形式で表示される第４３の態様のシステムである。
本発明の第５６の態様は、
前記ユーザは、現在編集が行われている前記少なくとも１つのライブラリのうち１つのライブラリのバージョンに対応する医療データのみにアクセスすることができる第４３の態様のシステムである。
本発明の第５７の態様は、
前記複数のエントリが各々、１つまたは複数の送液パラメータに関連付けられる第４１の態様のシステムである。
本発明の第５８の態様は、
前記１人または複数のユーザのうち少なくとも１人が前記電子的な変更要求を承諾することができる第４１の態様のシステムである。
本発明の第５９の態様は、
前記１人または複数のユーザのうち少なくとも１人が前記電子的な変更要求に応答することができる第４１の態様のシステムである。
本発明の第６０の態様は、
前記１人または複数のユーザのうち少なくとも１人が前記電子的な変更要求に対する改変を提案することができる第４１の態様のシステムである。
本発明の第６１の態様は、
前記１人または複数のユーザのうち少なくとも１人が前記電子的な変更要求を拒否することができる第４１の態様のシステムである。
本発明の第６２の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々、少なくとも１つの医療機器で使用され、前記薬物ライブラリ編集ソフトウェアはサーバによって実行される、薬物ライブラリ編集ソフトウェアと、
少なくとも１つの薬物ライブラリ・データベースと、
少なくとも１つの医療データのデータベースと、
少なくとも１つのエディタ・コンピュータであって、各々、ユーザ・インターフェースと通信状態にあるプロセッサを備え、前記ユーザ・インターフェースは、前記少なくとも１つの薬物ライブラリを編集するためにユーザによって使用され、前記少なくともエディタ・コンピュータ、少なくとも１つの薬物ライブラリ・データベース、および少なくとも１つの医療データのデータベースが、ネットワークを介して通信するように構成される、エディタ・コンピュータと
を備え、
前記少なくとも１つの薬物ライブラリの編集中に、前記ユーザが前記薬物ライブラリ編集ソフトウェアを使用して医療データにアクセスすることができる医療エラー低減システムである。
本発明の第６３の態様は、
前記医療データが前記少なくとも１つの医療データのデータベースに記憶される第６２の態様のシステムである。
本発明の第６４の態様は、
前記少なくとも１つの医療データのデータベースがホスト環境に記憶される第６３の態様のシステムである。
本発明の第６５の態様は、
前記医療データがチャートの形態で表示される第６２の態様のシステムである。
本発明の第６６の態様は、
前記医療データがグラフの形態で表示される第６２の態様のシステムである。
本発明の第６７の態様は、
前記医療データが表の形態で表示される第６２の態様のシステムである。
本発明の第６８の態様は、
前記医療データが図の形態で表示される第６２の態様のシステムである。
本発明の第６９の態様は、
前記医療データが輸液事例の形態で表示される第６２の態様のシステムである。
本発明の第７０の態様は、
前記医療データが、ユーザによる選択が可能な形式で表示される第６２の態様のシステムである。
本発明の第７１の態様は、
前記アクセスされる医療データが検索可能である第６２の態様のシステムである。
本発明の第７２の態様は、
前記アクセスされる医療データは、フィルタを適用することによってフィルタリングすることが可能である第６２の態様のシステムである。
本発明の第７３の態様は、
前記フィルタは機器の種類のフィルタである第７２の態様のシステムである。
本発明の第７４の態様は、
前記フィルタはデータのカテゴリである第７２の態様のシステムである。
本発明の第７５の態様は、
前記フィルタは治療に基づく基準である第７２の態様のシステムである。
本発明の第７６の態様は、
前記フィルタは医療機器の識別子である第７２の態様のシステムである。
本発明の第７７の態様は、
前記フィルタは介護者の識別子である第７２の態様のシステムである。
本発明の第７８の態様は、
前記フィルタはエリアに基づく基準である第７２の態様のシステムである。
本発明の第７９の態様は、
前記フィルタは薬物基準である第７２の態様のシステムである。
本発明の第８０の態様は、
前記薬物基準は薬物の識別子である第７９の態様のシステムである。
本発明の第８１の態様は、
前記薬物基準は薬物の種類である第７９の態様のシステムである。
本発明の第８２の態様は、
前記少なくとも１つの薬物ライブラリ・データベースがホスト環境にある第６２の態様のシステムである。
本発明の第８３の態様は、
前記医療機器が輸液ポンプである第６２の態様のシステムである。
本発明の第８４の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々少なくとも１つの医療機器で使用され、前記薬物ライブラリ編集ソフトウェアはサーバによって実行される、薬物ライブラリ編集ソフトウェアと、
少なくとも１つの薬物ライブラリ・データベースと、
少なくとも１つの医療データのデータベースと、
少なくとも１つのエディタ・コンピュータであって、各々が、ユーザ・インターフェースと通信状態にあるプロセッサを備え、前記ユーザ・インターフェースは、前記少なくとも１つの薬物ライブラリを編集するためにユーザによって使用され、前記少なくとも１つのエディタ・コンピュータ、少なくとも１つの薬物ライブラリ・データベース、および少なくとも１つの医療データのデータベースがネットワークを介して通信するように構成される、エディタ・コンピュータと
を備え、
前記少なくとも１つの薬物ライブラリを作成または改訂する際に、前記薬物ライブラリ編集ソフトウェアが、前記少なくとも１つの医療データのデータベースにある医療データを前記ユーザ・インターフェースに表示し、フィルタ基準を用いて前記医療データをフィルタリングするように構成される、医療エラー低減システムである。
本発明の第８５の態様は、
前記少なくとも１つの医療機器が輸液ポンプである第８４の態様のシステムである。
本発明の第８６の態様は、
前記少なくとも１つの薬物ライブラリ・データベースがホスト環境にある第８４の態様のシステムである。
本発明の第８７の態様は、
前記少なくとも１つの医療データのデータベースがホスト環境にある第８４の態様のシステムである。
本発明の第８８の態様は、
前記フィルタ基準はユーザによる選択が可能である第８４の態様のシステムである。
本発明の第８９の態様は、
前記フィルタ基準が医療機器の種類である第８４の態様のシステムである。
本発明の第９０の態様は、
前記フィルタ基準がデータのカテゴリである第８４の態様のシステムである。
本発明の第９１の態様は、
前記フィルタ基準が治療に基づく基準である第８４の態様のシステムである。
本発明の第９２の態様は、
前記フィルタ基準が医療機器の識別子である第８４の態様のシステムである。
本発明の第９３の態様は、
前記フィルタ基準が介護者の識別子である第８４の態様のシステムである。
本発明の第９４の態様は、
前記フィルタ基準が看護エリアに基づく基準である第８４の態様のシステムである。
本発明の第９５の態様は、
前記フィルタ基準が薬物基準である第８４の態様のシステムである。
本発明の第９６の態様は、
前記薬物基準は薬物の識別子である第９５の態様のシステムである。
本発明の第９７の態様は、
前記薬物基準は薬物の種類である第９５の態様のシステムである。
本発明の第９８の態様は、
前記ユーザ・インターフェースに表示された前記医療データとの対話によって前記フィルタ基準が適用されて、前記医療データのサブセットを表示することができる、第８４の態様のシステムである。
本発明の第９９の態様は、
前記ユーザ・インターフェースに表示された前記医療データとの対話によって前記フィルタ基準が適用されて、前記医療データを詳細に調べることができる第８４の態様のシステムである。
本発明の第１００の態様は、
前記医療データは、ユーザによって指定されたいくつかの形式の１つまたは複数で前記ユーザ・インターフェースに表示することができる第８４の態様のシステムである。
本発明の第１０１の態様は、
プロセッサと、
グラフィカル・ユーザ・インターフェースと
を備え、
前記プロセッサは、前記グラフィカル・ユーザ・インターフェースに表示するために少なくとも１つの画面を生成するように構成され、前記少なくとも１つの画面の少なくとも１つは１つまたは複数のパラメータ値を含み、前記プロセッサはさらに、前記１つまたは複数のパラメータ値の変化に応答して、前記１つまたは複数のパラメータ値の少なくとも１つのフォントを視覚的に変えるように構成される、医療機器である。
本発明の第１０２の態様は、
前記変化は、前記１つまたは複数のパラメータ値の桁数の変化である第１０１の態様の医療機器である。
本発明の第１０３の態様は、
前記プロセッサは、前記フォントのサイズを変更することにより前記フォントを視覚的に変えるように構成される第１０１の態様の医療機器である。
本発明の第１０４の態様は、
前記プロセッサは、前記フォントの色を変更することにより前記フォントを視覚的に変えるように構成される第１０１の態様の医療機器である。
本発明の第１０５の態様は、
前記１つまたは複数のパラメータ値の少なくとも１つはユーザによって指定されなければならない第１０１の態様の医療機器である。
本発明の第１０６の態様は、
前記１つまたは複数のパラメータ値の１つが患者の体重である第１０１の態様の医療機器である。
本発明の第１０７の態様は、
前記１つまたは複数のパラメータ値の１つが患者の体表面積である第１０１の態様の医療機器である。
本発明の第１０８の態様は、
前記１つまたは複数のパラメータ値の１つが投与量の値である第１０１の態様の医療機器である。
本発明の第１０９の態様は、
前記１つまたは複数のパラメータ値の１つが時間値である第１０１の態様の医療機器である。
本発明の第１１０の態様は、
前記１つまたは複数のパラメータ値の１つが輸液予定量の量である第１０１の態様の医療機器である。
本発明の第１１１の態様は、
前記１つまたは複数のパラメータ値の１つが輸液速度値である第１０１の態様の医療機器である。
本発明の第１１２の態様は、
前記１つまたは複数のパラメータ値の１つが医薬品の濃度値である第１０１の態様の医療機器である。
本発明の第１１３の態様は、
少なくとも１つまたは複数のパラメータ値が事前にプログラムされる第１０１の態様の医療機器である。
本発明の第１１４の態様は、
前記プロセッサが、前記パラメータ値のサイズを小さくすることにより前記フォントを視覚的に変えるように構成される第１０１の態様の医療機器である。
本発明の第１１５の態様は、
グラフィカル・ユーザ・インターフェースと、
前記グラフィカル・ユーザ・インターフェースに表示するために少なくとも１つの画面を生成するように構成されたプロセッサであって、前記少なくとも１つの画面の少なくとも１つは治療進行中の画面であり、前記治療進行中の画面は、輸液ライン内の液体の圧力を示す圧力インディケータを含む、プロセッサと
を備える医療機器である。
本発明の第１１６の態様は、
前記圧力インディケータが圧力動向インディケータである第１１５の態様の医療機器である。
本発明の第１１７の態様は、
前記圧力動向インディケータが過去４時間の圧力の動向を示す第１１６の態様の医療機器である。
本発明の第１１８の態様は、
前記圧力インディケータがバーである第１１５の態様の医療機器である。
本発明の第１１９の態様は、
前記バーがいくつかの区間を含む第１１５の態様の医療機器である。
本発明の第１２０の態様は、
前記圧力インディケータが、異なる数の区間を埋めることにより異なる圧力を示すように構成される第１１９の態様の医療機器である。
本発明の第１２１の態様は、
前記圧力インディケータが、前記バーを異なる量で埋めることにより異なる圧力を示すように構成される第１１５の態様の医療機器である。
本発明の第１２２の態様は、
前記グラフィカル・ユーザ・インターフェースがタッチ画面である第１１５の態様の医療機器である。
本発明の第１２３の態様は、
グラフィカル・ユーザ・インターフェースと、
前記グラフィカル・ユーザ・インターフェースに表示するために少なくとも１つの画面を生成するように構成されたプロセッサと
を備える医療機器であって、
前記少なくとも１つの画面の少なくとも１つは、前記医療機器が治療を実行している時に表示される治療進行中の画面であり、前記治療進行中の画面は、前記医療機器によって送液されている医薬品を示す医薬品インディケータを含み、前記プロセッサは、前記医薬品に割り当てられた複数の分類のうち１つの分類に応じて、前記ユーザ・インターフェースに表示される前記医薬品インディケータの少なくとも一部分を複数の色の１つで色分けする、医療機器である。
本発明の第１２４の態様は、
前記グラフィカル・ユーザ・インターフェースがタッチ画面である第１２３の態様の医療機器である。
本発明の第１２５の態様は、
前記プロセッサは、前記医療機器に使用される薬剤ライブラリを記憶したメモリと通信状態にある第１２３の態様の医療機器である。
本発明の第１２６の態様は、
前記薬物ライブラリは、前記医薬品インディケータの前記一部分についての色分け情報を保持している第１２５の態様の医療機器である。
本発明の第１２７の態様は、
前記少なくとも１つの画面の少なくとも１つは、前記医療機器によって送液すべき医薬品が指定されるプログラム画面である第１２３の態様の医療機器である。
本発明の第１２８の態様は、
前記複数の分類の少なくとも１つは高リスクの分類である第１２３の態様の医療機器である。
本発明の第１２９の態様は、
前記複数の分類の少なくとも１つは薬物の種類である第１２３の態様の医療機器である。
本発明の第１３０の態様は、
前記複数の分類の少なくとも１つは麻酔薬の分類である第１２３の態様の医療機器である。
本発明の第１３１の態様は、
前記医薬品インディケータが前記医薬品の名前を含む第１２３の態様の医療機器である。
本発明の第１３２の態様は、
前記医薬品インディケータが非テキストの標識を含む第１２３の態様の医療機器である。
本発明の第１３３の態様は、
前記非テキストの標識が、前記医薬品インディケータのうち色分けされている唯一の部分である第１３２の態様の医療機器である。
本発明の第１３４の態様は、
グラフィカル・ユーザ・インターフェースと、
前記グラフィカル・ユーザ・インターフェースに表示するために少なくとも１つの画面を生成するように構成されたプロセッサと、
コンピュータ読取り可能メモリとを備える医療機器であって、前記医療機器にプログラムすることが可能な治療に関連する複数のパラメータ値を記憶し、前記パラメータ値の少なくとも１つは、治療パラメータ値についてのユーザによりオーバーライド可能な制限値の値であり、治療パラメータ値についての前記ユーザによりオーバーライド可能な制限値は、前記グラフィカル・ユーザ・インターフェースを介して１人または複数のユーザによりオーバーライドすることが可能であり、
前記プロセッサは、前記ユーザによりオーバーライド可能な制限値がオーバーライドされるのに応答して前記治療パラメータ値の隣に標識を表示させる、医療機器である。
本発明の第１３５の態様は、
前記グラフィカル・ユーザ・インターフェースがタッチ画面である第１３４の態様の医療機器である。
本発明の第１３６の態様は、
前記少なくとも１つの画面の少なくとも１つが制限値違反の通知を表示する第１３４の態様の医療機器である。
本発明の第１３７の態様は、
前記制限値違反の通知は、前記オーバーライドすることが可能な制限値の値を表示しない第１３６の態様の医療機器である。
本発明の第１３８の態様は、
前記制限値違反の通知がオーバーライドのオプションを含む第１３６の態様の医療機器である。
本発明の第１３９の態様は、
治療パラメータ値についての前記ユーザによりオーバーライド可能な制限値は、第１のユーザおよび第２のユーザの両方が前記グラフィック・ユーザ・インターフェースを介して前記制限値をオーバーライドすることを必要とする第１３８の態様の医療機器である。
本発明の第１４０の態様は、
前記医療機器にプログラムすることが可能な治療に関連する複数のパラメータ値は、前記コンピュータ読取り可能メモリに記憶された薬物ライブラリ・ファイルの一部である第１３４の態様の医療機器である。
本発明の第１４１の態様は、
前記標識は非テキストの標識である第１３４の態様の医療機器である。
本発明の第１４２の態様は、
第１３４の態様の医療機器である。
本発明の第１４３の態様は、
グラフィカル・ユーザ・インターフェースと、
前記グラフィカル・ユーザ・インターフェースに表示するために少なくとも１つの画面を生成するように構成されたプロセッサと、
コンピュータ読取り可能メモリとを備える医療機器であって、前記医療機器によって送液することが可能な複数の医薬品を記憶し、前記医薬品は１つまたは複数の医薬品カテゴリに従って編成され、前記医薬品の各々はさらに、前記医療機器にプログラムすることが可能な治療に関連する１つまたは複数のパラメータ値に関連付けられ、
ユーザは、前記グラフィカル・ユーザ・インターフェースを使用して、治療を実行するように前記医療機器をプログラムすることができ、前記医療機器をプログラムする際の少なくとも１つのステップが、前記医療機器によって送液すべき医薬品が含まれる医薬品カテゴリを選択することを含む、医療機器である。
本発明の第１４４の態様は、
前記グラフィカル・ユーザ・インターフェースがタッチ画面である第１４３の態様の医療機器である。
本発明の第１４５の態様は、
前記複数の医薬品および１つまたは複数の医薬品カテゴリが薬物ライブラリ・ファイルの一部である第１４３の態様の医療機器である。
本発明の第１４６の態様は、
前記医薬品カテゴリが、前記グラフィカル・ユーザ・インターフェースを介して検索可能である第１４３の態様載の医療機器である。
本発明の第１４７の態様は、
前記医薬品カテゴリが、前記グラフィカル・ユーザ・インターフェースを介してフィルタリング可能である第１４３の態様の医療機器である。
本発明の第１４８の態様は、
前記１つまたは複数のパラメータ値の少なくとも１つは、ユーザによりオーバーライド可能なパラメータの制限値である第１４３の態様の医療機器である。
本発明の第１４９の態様は、
医療エラー低減システムであって、
少なくとも１つの医療機器で使用されるために構成された少なくとも１つの薬物ライブラリを作成し、改訂する際に使用される医療エラー低減ソフトウェアであって、前記ソフトウェアは、複数の特権のセットの１つを複数のユーザ・セットの各々に提供するように構成され、前記複数の特権のセットは各々、一定程度のソフトウェア機能を前記複数のユーザ・セットの１つに割り振るように構成され、前記一定程度のソフトウェア機能は、ユーザが前記少なくとも１つの薬物ライブラリを改変する能力を定義するように構成される、医療エラー低減ソフトウェアと、
少なくとも１つのサーバと、
ディスプレイと通信状態にあるプロセッサを備えた少なくとも１つのエディタ・コンピュータであって、クライアント／サーバ型モデルでネットワークを介して前記少なくとも１つのサーバと通信するように構成された少なくとも１つのエディタ・コンピュータと
を備える医療エラー低減システムである。
本発明の第１５０の態様は、
医療エラー低減システムであって、
医療機器プロセッサ、および
ユーザが医療機器をプログラムすることを可能にするように構成された医療機器グラフィカル・ユーザ・インターフェース
を備える医療機器と、
少なくとも１つのサーバと、
ディスプレイと通信状態にあるプロセッサを備えた少なくとも１つのエディタ・コンピュータであって、クライアント／サーバ型モデルでネットワークを介して前記少なくとも１つのサーバと通信するように構成された少なくとも１つのエディタ・コンピュータと、
少なくとも１つの薬物ライブラリを作成し改訂する際に使用するために前記少なくとも１つのサーバによって実行され、前記少なくとも１つのエディタ・コンピュータを介してアクセスできるように構成された医療エラー低減ソフトウェアであって、前記少なくとも１つの薬物ライブラリは前記少なくとも１つの医療機器で使用され、ユーザが前記少なくとも１つの医療機器をプログラムするのを誘導する複数のエントリを含む、医療エラー低減ソフトウェアと
を備え、
前記医療エラー低減ソフトウェアはさらに、模擬的な医療機器グラフィカル・ユーザ・インターフェースを表示するように構成され、前記模擬的な医療機器グラフィカル・ユーザ・インターフェースは、前記少なくとも１つの薬物ライブラリの１つを使用して医療機器の前記医療機器グラフィカル・ユーザ・インターフェースの振る舞いを模倣する、医療エラー低減システムである。
本発明の第１５１の態様は、
患者に医薬品を送液する医療機器であって、
前記医薬品を送液すべきポンプ機構の動作を制御するように構成されたコントローラと、
ディスプレイと、
薬物ライブラリのためのプログラム・コードを記憶するように構成されたコンピュータ読取り可能メモリであって、前記薬物ライブラリは複数のエントリを有し、前記複数のエントリは、施設の一部分に対応する少なくとも１つのエントリを含み、そのようなエントリごとに、前記複数のエントリはさらに、前記施設の前記一部分に対応する少なくとも１つの薬物エントリを含む、コンピュータ読取り可能メモリと、
前記医療機器の前記ディスプレイにグラフィカル・ユーザ・インターフェースを表示するように構成されたプロセッサであって、前記グラフィカル・ユーザ・インターフェースは、前記薬物ライブラリを使用して前記コントローラをプログラムするためにユーザによって使用され、ユーザは、前記施設の前記一部分に対応する前記少なくとも１つの薬物エントリの１つを選択して、前記患者への前記医薬品の送液をプログラムすることができる、プロセッサと
を備える医療機器である。
本発明の第１５２の態様は、
前記少なくとも１つの薬物エントリが、そのエントリに関連付けられたパラメータを含む第１５１の態様の医療機器である。
本発明の第１５３の態様は、
前記薬物ライブラリがさらに、特定の薬物に関連付けられるのではなく広い薬物カテゴリに関連付けられた少なくとも１つの薬物エントリを含む第１５１の態様の医療機器である。
本発明の第１５４の態様は、
前記ユーザは、特定の薬物に関連付けられるのではなく広い薬物カテゴリに関連付けられた前記薬物ライブラリ中の前記少なくとも１つの薬物エントリの１つを選択して、前記患者への前記医薬品の送液をプログラムすることができる第１５３の態様の医療機器である。
本発明の第１５５の態様は、
医療エラー低減システムであって、
少なくとも１つの医療機器で使用するための少なくとも１つの薬物ライブラリを作成し、改訂する際に使用される薬物ライブラリ編集ソフトウェアであって、前記少なくとも１つの薬物ライブラリは複数のエントリを含み、前記ソフトウェアは、複数の特権のセットの少なくとも１つを複数のユーザ・セットの各々に提供するように構成され、前記複数の特権のセットは各々、一定程度のソフトウェア機能を前記複数のユーザ・セットの１つに割り振るように構成され、前記一定程度のソフトウェア機能は、ユーザが前記少なくとも１つの薬物ライブラリを改変する能力を定義するように構成される、薬物ライブラリ編集ソフトウェアと、
前記薬物ライブラリ編集ソフトウェアを実行するように構成された少なくとも１つのサーバと、
ユーザ・インターフェースと通信状態にあるプロセッサを備えた少なくとも１つのエディタ・コンピュータであって、前記少なくとも１つのエディタ・コンピュータは、クライアント／サーバ型モデルでネットワークを介して前記少なくとも１つのサーバと通信するように構成され、前記複数のユーザ・セットの少なくとも１つは、前記少なくとも１つのエディタ・コンピュータを使用して前記薬物ライブラリ編集ソフトウェアにアクセスして、前記少なくとも１つの薬物ライブラリに対する変更を要求することができる、少なくとも１つのエディタ・コンピュータと
を備える医療エラー低減システムである。
本発明の第１５６の態様は、
前記複数の特権のセットの少なくとも１つはさらに、ユーザが前記少なくとも１つの薬物ライブラリへの要求される変更の実施を却下する、または、前記少なくとも１つの薬物ライブラリへの要求される変更の実施を承諾することを可能にするように構成される第１５３の態様の医療エラー低減システムである。
本発明の第１５７の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは少なくとも１つの医療機器で使用される、薬物ライブラリ編集ソフトウェアと、
前記薬物ライブラリ編集ソフトウェアを実行するように構成された少なくとも１つのサーバと、
ユーザ・インターフェースと通信状態にあるプロセッサを備えた少なくとも１つのエディタ・コンピュータであって、前記ユーザ・インターフェースは前記少なくとも１つの薬物ライブラリを編集するためにユーザによって使用され、前記少なくとも１つのエディタ・コンピュータは、前記少なくとも１つのエディタ・コンピュータが前記薬物ライブラリ編集ソフトウェアにアクセスできるように、クライアント／サーバ型モデルでネットワークを介して前記少なくとも１つのサーバと通信するように構成され、ユーザは、前記ユーザ・インターフェースを介して電子的な変更要求を出すことにより、前記少なくとも１つの薬物ライブラリへの変更を要求することができる、少なくとも１つのエディタ・コンピュータと
を備える医療エラー低減システムである。
本発明の第１５８の態様は、
前記電子的な変更要求は、電子データベースの医療データにリンクされて状況情報を提供することが可能である第１５７の態様の医療エラー低減システムである。
本発明の第１５９の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々少なくとも１つの医療機器に使用され、前記薬物ライブラリ編集ソフトウェアはサーバによって実行される、薬物ライブラリ編集ソフトウェアと、
少なくとも１つの薬物ライブラリ・データベースと、
少なくとも１つの医療データのデータベースと、
前記サーバ、前記少なくとも１つの薬物ライブラリ・データベース、および前記少なくとも１つの医療データのデータベースとネットワークを介して通信するように構成された少なくとも１つのエディタ・コンピュータであって、ユーザ・インターフェースと通信状態にあるプロセッサを備え、前記ユーザ・インターフェースは、前記少なくとも１つの薬物ライブラリ編集ソフトウェアを使用して前記少なくとも１つの薬物ライブラリを編集するためにユーザによって使用され、前記少なくとも１つの薬物ライブラリの編集中に、前記ユーザは前記薬物ライブラリ編集ソフトウェアを使用して前記少なくとも１つの医療データのデータベースにある医療データにアクセスすることができる、少なくとも１つのエディタ・コンピュータと
を備える医療エラー低減システムである。
本発明の第１６０の態様は、
前記少なくとも１つの薬物ライブラリの編集中に、前記ユーザは前記薬物ライブラリ編集ソフトウェアを使用して前記少なくとも１つの医療データのデータベースにある医療データにアクセスすることができ、前記医療データは、前記ユーザ・インターフェースに表示された、チャート、グラフ、プロット、および図、の少なくとも１つの形態である第１５９の態様の医療エラー低減システムである。
本発明の第１６１の態様は、
前記少なくとも１つの薬物ライブラリの編集中に、ユーザは前記薬物ライブラリ編集ソフトウェアを使用して前記少なくとも１つの医療データのデータベースにある医療データを前記ユーザ・インターフェースに表示し、前記ユーザが関心のある医療データのみが前記ユーザ・インターフェースに表示されるように前記医療データをフィルタリングすることができる第１５９の態様の医療エラー低減システムである。
本発明の第１６２の態様は、
グラフィカル・ユーザ・インターフェースと、
前記グラフィカル・ユーザ・インターフェースに表示するために少なくとも１つの画面を生成するように構成されたプロセッサであって、前記少なくとも１つの画面は少なくとも１つのパラメータ値を含み、前記プロセッサはさらに、前記少なくとも１つのパラメータ値の桁数の変化に応答して、前記少なくとも１つのパラメータ値のフォントを視覚的に変えるように構成される、プロセッサと
を備える医療機器である。
本発明の第１６３の態様は、
前記少なくとも１つの画面は治療進行中の画面を含み、前記治療進行中の画面は、輸液ライン内の液体の圧力を示す圧力インディケータを含む第１６２の態様の医療機器である。
本発明の第１６４の態様は、
前記少なくとも１つの画面は治療進行中の画面であり、前記治療進行中の画面は、前記医療機器によって送液されている医薬品を示す医薬品インディケータを含み、前記プロセッサはさらに、前記ユーザ・インターフェースに表示される前記医薬品インディケータを、複数の色の１つで色分けするように構成され、前記複数の色の各色は前記医薬品の分類に対応する第１６２の態様の医療機器である。
本発明の第１６５の態様は、
コンピュータ読取り可能メモリをさらに備え、前記コンピュータ読取り可能メモリは、前記医療機器にプログラムすることが可能な治療に関連する複数のパラメータ値を記憶し、前記パラメータ値の少なくとも１つは、治療パラメータ値についてのユーザによりオーバーライド可能な制限値であり、治療パラメータ値についての前記ユーザによりオーバーライド可能な制限値は、前記グラフィカル・ユーザ・インターフェースを介してユーザによりオーバーライドすることが可能であり、前記プロセッサはさらに、前記ユーザによりオーバーライド可能な制限値を前記ユーザがオーバーライドしたのに応答して前記治療パラメータ値の隣に標識を表示するように構成される、第１６２の態様の医療機器である。
本発明の第１６６の態様は、
前記コンピュータ読取り可能メモリは、前記医療機器によって送液されることが可能な複数の医薬品を記憶するように構成され、各医薬品は１つまたは複数の医薬品カテゴリに編成され、前記医薬品は各々、前記医療機器にプログラムすることが可能な治療に関連する１つまたは複数のパラメータ値にさらに関連付けられ、ユーザは前記グラフィカル・ユーザ・インターフェースを使用して、前記医療機器によって送液すべき医薬品が含まれる医薬品カテゴリを少なくとも選択して、前記医療機器をプログラムすることができる第１６５の態様の医療機器である。
本発明の第１６７の態様は、
医療エラー低減システムであって、
少なくとも１つの薬物ライブラリを作成し、改訂する際に使用される医療エラー低減ソフトウェアであって、前記ソフトウェアは、特権のセットを複数のユーザの各々に提供するように構成され、前記特権のセットは、一定程度のソフトウェア機能を前記複数のユーザの各々に割り振るように構成され、前記一定程度のソフトウェア機能は、ユーザが前記少なくとも１つの薬物ライブラリを改変する能力を定義するように構成される、医療エラー低減ソフトウェアと、
少なくとも１つのサーバと、
少なくとも１つのエディタ・コンピュータであって、各々が、ディスプレイと通信状態にあるプロセッサを備え、前記少なくとも１つのエディタ・コンピュータおよび少なくとも１つのサーバが、クライアント／サーバ型モデルでネットワークを介して通信するように構成された少なくとも１つのエディタ・コンピュータと
を備え、
前記少なくとも１つの薬物ライブラリは各々、少なくとも１つの医療機器で使用するためのものである医療エラー低減システムである。
本発明の第１６８の態様は、
前記少なくとも１つの薬物ライブラリの各々が階層に編成される第１６７の態様のシステムである。
本発明の第１６９の態様は、
前記階層が、少なくとも１つの看護グループの下位にある複数の看護エリアを含む第１６８の態様のシステムである。
本発明の第１７０の態様は、
前記階層の各レベルが、前記少なくとも１つの医療機器のためのいくつかの送液パラメータを含む第１６８の態様のシステムである。
本発明の第１７１の態様は、
前記少なくとも１つの薬物ライブラリの各々が、それぞれが特定の医薬品に対応する複数のエントリを含む第１６７の態様のシステムである。
本発明の第１７２の態様は、
前記少なくとも１つの薬物ライブラリが、前記少なくとも１つの医療機器の動作を通知するいくつかのパラメータを含む第１６７の態様のシステムである。
本発明の第１７３の態様は、
前記薬物ライブラリが、前記少なくとも１つの医療機器について複数のプログラミング制限値を含む第１６７の態様のシステムである。
本発明の第１７４の態様は、
前記医療エラー低減ソフトウェアがさらに品質改善情報を前記複数のユーザに提供するように構成される第１６７の態様のシステムである。
本発明の第１７５の態様は、
前記特権のセットは、薬物ライブラリを点検する特権を割り振るように設定可能である第１６７の態様のシステムである。
本発明の第１７６の態様は、
前記特権のセットは、薬物ライブラリを編集する特権を割り振るように設定可能である第１６７の態様のシステムである。
本発明の第１７７の態様は、
前記特権のセットは、編集または作成の特権を割り振るように設定可能である第１６７の態様のシステムである。
本発明の第１７８の態様は、
前記特権のセットは、ユーザ追加の特権を割り振るように設定可能である第１６７の態様のシステムである。
本発明の第１７９の態様は、
前記複数のユーザの各々に割り振られた前記特権のセットが、前記少なくとも１つの薬物ライブラリを作成および改訂するために前記複数のユーザ間の協働的なプロセスを強制する第１６７の態様のシステムである。
本発明の第１８０の態様は、
医療エラー低減システムであって、
いくつかの薬物ライブラリを作成し、改訂する際に使用される薬物ライブラリ編集ソフトウェアであって、前記いくつかの薬物ライブラリは各々複数のエントリを含み、前記いくつかの薬物ライブラリは各々少なくとも１つの医療機器に使用される、薬物ライブラリ編集ソフトウェアと、
少なくとも１つのエディタ・コンピュータであって、各々が、ユーザ・インターフェースと通信状態にあるプロセッサを備え、前記ユーザ・インターフェースは、前記少なくとも１つの薬物ライブラリを編集するために１人または複数のユーザによって使用される、少なくとも１つのエディタ・コンピュータと
を備え、
前記薬物ライブラリ編集ソフトウェアは、前記いくつかの薬物ライブラリの中の第１の薬物ライブラリの前記複数のエントリのエントリを、前記いくつかの薬物ライブラリの中の第２の薬物ライブラリに取り込むように構成される、医療エラー低減システムである。
本発明の第１８１の態様は、
前記システムはさらに、前記医療エラー低減ソフトウェアを実行するように構成された少なくとも１つのサーバを備える第１８０の態様のシステムである。
本発明の第１８２の態様は、
前記いくつかの薬物ライブラリが薬物ライブラリ・データベースに記憶される第１８０の態様のシステムである。
本発明の第１８３の態様は、
前記薬物ライブラリ・データベースがホスト環境にある第１８２の態様のシステムである。
本発明の第１８４の態様は、
前記１人または複数のユーザは、前記いくつかの薬物ライブラリの中の前記第１の薬物ライブラリから、前記いくつかの薬物ライブラリの中の前記第２の薬物ライブラリに取り込みたいエントリを前記複数のエントリから指定することができる第１８０の態様のシステムである。
本発明の第１８５の態様は、
前記いくつかの薬物ライブラリの中の前記第１の薬物ライブラリと、前記いくつかの薬物ライブラリの中の前記第２の薬物ライブラリとの両方が、前記いくつかの薬物ライブラリ中の薬物ライブラリのサブセットに属する第１８０の態様のシステムである。
本発明の第１８６の態様は、
前記薬物ライブラリのサブセットは、１人または複数のユーザによる前記薬物ライブラリのサブセットへのアクセスを許す許可のセットに関連付けられる第１８５の態様のシステムである。
本発明の第１８７の態様は、
前記許可のセットは、別の１人または複数のユーザによる前記薬物ライブラリのサブセットへのアクセスを許可しない第１８６の態様のシステムである。
本発明の第１８８の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々少なくとも１つの医療機器に使用され、前記薬物ライブラリ編集ソフトウェアはサーバによって実行される、薬物ライブラリ編集ソフトウェアと、
前記少なくとも１つの薬物ライブラリを記憶する少なくとも１つの薬物ライブラリ・データベースと、
少なくとも１つのエディタ・コンピュータであって、各々が、ユーザ・インターフェースと通信状態にあるプロセッサを備え、前記ユーザ・インターフェースは、前記少なくとも１つの薬物ライブラリを編集するためにユーザによって使用され、前記少なくとも１つのエディタ・コンピュータおよび少なくとも１つの薬物ライブラリ・データベースがネットワークを介して通信するように構成された少なくとも１つのエディタ・コンピュータと
を備え、
前記複数のエントリは１つまたは複数の臨床勧告を含む医療エラー低減システムである。
本発明の第１８９の態様は、
前記薬物ライブラリ・データベースがホスト環境にある第１８８の態様の医療エラー低減システムである。
本発明の第１９０の態様は、
前記１つまたは複数の臨床勧告がフリー・テキスト・エントリである第１８８の態様の医療エラー低減システムである。
本発明の第１９１の態様は、
前記１つまたは複数の臨床勧告が画像を含む第１８８の態様の医療エラー低減システムである。
本発明の第１９２の態様は、
前記１つまたは複数の臨床勧告が文書を含む第１８８の態様の医療エラー低減システムである。
本発明の第１９３の態様は、
前記１つまたは複数の臨床勧告の長さが０文字から１００文字の間に制限される第１８８の態様のシステムである。
本発明の第１９４の態様は、
前記１つまたは複数の臨床勧告の各々が、短いテキストの臨床勧告に関連付けられる第１８８の態様のシステムである。
本発明の第１９５の態様は、
前記短いテキストの臨床勧告の長さが０文字から１００文字の間に制限される第１９４の態様のシステムである。
本発明の第１９６の態様は、
前記短いテキストの臨床勧告が前記少なくとも１つの医療機器のグラフィック・ユーザ・インターフェースの少なくとも１つの画面に表示される第１９４の態様のシステムである。
本発明の第１９７の態様は、
前記１つまたは複数の臨床勧告の各々が、前記少なくとも１つの医療機器のグラフィック・ユーザ・インターフェースの少なくとも１つの画面に表示される第１８８の態様のシステムである。
本発明の第１９８の態様は、
前記少なくとも１つの臨床勧告の各々が、前記少なくとも１つの薬物ライブラリ中の薬物エントリに関連付けられる第１８８の態様のシステムである。
本発明の第１９９の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々少なくとも１つの医療機器で使用され、前記薬物ライブラリ編集ソフトウェアはサーバによって実行される、薬物ライブラリ編集ソフトウェアと、
前記少なくとも１つの薬物ライブラリを記憶する少なくとも１つの薬物ライブラリ・データベースと、
少なくとも１つのエディタ・コンピュータであって、各々、ユーザ・インターフェースと通信状態にあるプロセッサを備え、前記ユーザ・インターフェースは、前記少なくとも１つの薬物ライブラリを編集するためにユーザによって使用され、前記少なくとも１つのエディタ・コンピュータと少なくとも１つの薬物ライブラリ・データベースが、ネットワークを介して通信するように構成された少なくとも１つのエディタ・コンピュータと
を備え、
前記薬物ライブラリ編集ソフトウェアは、ユーザが前記複数のエントリの１つまたは複数についてのメモを入力することを可能にするように構成される、医療エラー低減システムである。
本発明の第２００の態様は、
前記薬物ライブラリ・データベースがホスト環境にある第１９９の態様の医療エラー低減システムである。
本発明の第２０１の態様は、
前記メモがフリー・テキスト・エントリである第１９９の態様の医療エラー低減システムである。
本発明の第２０２の態様は、
前記メモが画像を含む第１９９の態様の医療エラー低減システムである。
本発明の第２０３の態様は、
前記メモが文書を含む第１９９の態様の医療エラー低減システムである。
本発明の第２０４の態様は、
前記薬物ライブラリ編集ソフトウェアが、ユーザが前記複数のエントリの１つまたは複数のサブセットについてメモを入力することを可能にするように第１９９の態様のシステムである。
本発明の第２０５の態様は、
前記薬物ライブラリ編集ソフトウェアが、ユーザが前記複数のエントリの各々についてメモを入力することを可能にするように構成される第１９９の態様のシステムである。
本発明の第２０６の態様は、
メモに関連付けられた前記複数のエントリの各々が、前記ユーザ・インターフェース上でメモ・インディケータと共に描写される第１９９の態様のシステムである。
本発明の第２０７の態様は、
前記メモ・インディケータとユーザが対話すると、前記メモが前記ユーザ・インターフェースに表示される第１９９の態様のシステムである。
本発明の第２０８の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々、少なくとも１つの医療機器に使用され、前記薬物ライブラリ編集ソフトウェアはサーバによって実行される、薬物ライブラリ編集ソフトウェアと、
前記少なくとも１つの薬物ライブラリを記憶する少なくとも１つの薬物ライブラリ・データベースと、
少なくとも１つのエディタ・コンピュータであって、各々、ユーザ・インターフェースと通信状態にあるプロセッサを備え、前記ユーザ・インターフェースは、前記少なくとも１つの薬物ライブラリを編集するためにユーザによって使用され、前記少なくとも１つのエディタ・コンピュータと少なくとも１つの薬物ライブラリ・データベースが、ネットワークを介して通信するように構成された少なくとも１つのエディタ・コンピュータと
を備え、
前記複数のエントリが洗浄パラメータを含む医療エラー低減システムである。
本発明の第２０９の態様は、
前記洗浄パラメータは、前記少なくとも１つの医療機器に関連付けられた液体ラインの洗浄を支配する第２０８の態様のシステムである。
本発明の第２１０の態様は、
前記洗浄パラメータは、前記少なくとも１つの医療機器が自機に関連付けられた液体ラインを洗浄する時に前記医療機器によって使用されるべきデフォルトの送液パラメータ値を含む第２０８の態様のシステムである。
本発明の第２１１の態様は、
前記洗浄パラメータが送液予定量を含む第２１０の態様のシステムである。
本発明の第２１２の態様は、
前記洗浄パラメータが送液の流量を含む第２１０の態様のシステムである。
本発明の第２１３の態様は、
前記洗浄パラメータが時間を含む第２１０の態様のシステムである。
本発明の第２１４の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々少なくとも１つの医療機器に使用され、前記薬物ライブラリ編集ソフトウェアはサーバによって実行される、薬物ライブラリ編集ソフトウェアと、
前記少なくとも１つの薬物ライブラリを記憶する少なくとも１つの薬物ライブラリ・データベースと、
少なくとも１つのエディタ・コンピュータであって、各々、ユーザ・インターフェースと通信状態にあるプロセッサを備え、前記ユーザ・インターフェースは、前記少なくとも１つの薬物ライブラリを編集するためにユーザによって使用され、前記少なくとも１つのエディタ・コンピュータと少なくとも１つの薬物ライブラリ・データベースが、ネットワークを介して通信するように構成された少なくとも１つのエディタ・コンピュータと
を備え、
前記薬物ライブラリ編集ソフトウェアは、所望の概略情報をユーザに提供する、ユーザによるカスタマイズが可能な画面を表示するように構成される、医療エラー低減システムである。
本発明の第２１５の態様は、
前記ユーザによるカスタマイズが可能な画面は１つまたは複数のウィジェットを含む第２１４の態様のシステムである。
本発明の第２１６の態様は、
前記ユーザが、前記ユーザによるカスタマイズが可能な画面に含める前記１つまたは複数のウィジェットを選択する第２１５の態様のシステムである。
本発明の第２１７の態様は、
前記１つまたは複数のウィジェットの１つが進捗状況ウィジェットである第２１５の態様のシステムである。
本発明の第２１８の態様は、
前記１つまたは複数のウィジェットの１つが動向ウィジェットである第２１５の態様のシステムである。
本発明の第２１９の態様は、
前記１つまたは複数のウィジェットの１つが概要ウィジェットである第２１５の態様のシステムである。
本発明の第２２０の態様は、
前記１つまたは複数のウィジェットの１つがクイック・リンクのウィジェットである第２１５の態様のシステムである。
本発明の第２２１の態様は、
前記１つまたは複数のウィジェットの１つが変更要求ウィジェットである第２１５の態様のシステムである。
本発明の第２２２の態様は、
前記１つまたは複数のウィジェットの１つがフィードバック・ウィジェットである第２１５の態様のシステムである。
本発明の第２２３の態様は、
前記１つまたは複数のウィジェットの１つが医療データ・ウィジェットである第２１５の態様のシステムである。
本発明の第２２４の態様は、
前記１つまたは複数のウィジェットの１つが変更点検ウィジェットである第２１５の態様のシステムである。
本発明の第２２５の態様は、
前記１つまたは複数のウィジェットの１つが管理者コメント・ウィジェットである第２１５の態様のシステムである。
本発明の第２２６の態様は、
前記ユーザが、許可されたウィジェットのリストから前記１つまたは複数のウィジェットを選択する第２１５の態様のシステムである。
本発明の第２２７の態様は、
前記ユーザに前記医療エラー低減ソフトウェア内で特定の役割が割り当てられ、前記許可されたウィジェットのリストは前記特定の役割に関連付けられる第２２６の態様のシステムである。
本発明の第２２８の態様は、
前記システムがさらにユーザ・データベースを備える第２１４の態様のシステムである。
本発明の第２２９の態様は、
前記ユーザによるカスタマイズが可能な画面は、カスタマイズされるとユーザ・データベースに記憶され、前記ユーザに関連付けられる第２１４の態様のシステムである。
本発明の第２３０の態様は、
前記ユーザによるカスタマイズが可能な画面は、いくつかのロード可能なカスタマイズされた画面設定の中から選択される第２１４の態様のシステムである。
本発明の第２３１の態様は、
医療エラー低減システムであって、
少なくとも１つの薬物ライブラリを作成し、改訂する際に使用される薬物ライブラリ編集ソフトウェアであって、前記少なくとも１つの薬物ライブラリは複数のエントリを含み、前記少なくとも１つの薬物ライブラリは各々少なくとも１つの医療機器で使用され、前記薬物ライブラリ編集ソフトウェアはサーバによって実行される、薬物ライブラリ編集ソフトウェアと、
前記少なくとも１つの薬物ライブラリを記憶する少なくとも１つの薬物ライブラリ・データベースと、
少なくとも１つのエディタ・コンピュータであって、各々が、ユーザ・インターフェースと通信状態にあるプロセッサを備え、前記ユーザ・インターフェースは、前記少なくとも１つの薬物ライブラリを編集するためにユーザによって使用され、前記少なくとも１つのエディタ・コンピュータと少なくとも１つの薬物ライブラリ・データベースがネットワークを介して通信するように構成された少なくとも１つのエディタ・コンピュータと
を備え
前記ユーザは、前記薬物ライブラリ編集ソフトウェアを使用して前記複数のエントリのうち２つ以上のエントリを比較することができ、前記比較は前記ユーザ・インターフェースに表示される、医療エラー低減システムである。
本発明の第２３２の態様は、
前記比較は前記ユーザ・インターフェースに表で表示される第２３１の態様のシステムである。
本発明の第２３３の態様は、
前記比較は、横に並べた比較である第２３１の態様のシステムである。
本発明の第２３４の態様は、
前記比較される前記２つ以上のエントリの差分が、前記ユーザ・インターフェース上で視覚的に示される第２３１の態様のシステムである。
本発明の第２３５の態様は、
前記比較が、差分のみを示すオプションを含む第２３１の態様のシステムである。
本発明の第２３６の態様は、
前記差分のみを示すオプションと対話すると、前記複数のエントリのうち前記２つ以上のエントリ間の差分のみが表示される状態と、前記複数のエントリのうち前記２つ以上のエントリに関連付けられたすべての情報が表示される状態との間で前記比較を切り替えることができる第２３５の態様のシステムである。
本発明の第２３７の態様は、
前記比較が、前記複数のエントリのうち前記２つ以上のエントリの１つを編集のために開くために使用することができる編集のオプションを含む第２３１の態様のシステムである。
本発明の第２３８の態様は、
薬物ライブラリ・ファイルを生成する方法であって、
複数の特権のセットの１つを複数のユーザ・セットの各々に割り当てるステップであって、前記複数の特権のセットは、薬物ライブラリ編集ソフトウェア内で一定程度のソフトウェア機能を割り振るように構成され、前記一定程度のソフトウェア機能は、ユーザが前記少なくとも１つの薬物ライブラリを改変する能力を定義するように構成される、ステップと、
少なくとも１つのエディタ・コンピュータを使用して薬物ライブラリを作成するステップであって、前記エディタ・コンピュータは各々、ユーザ・インターフェースと通信状態にあるプロセッサを備え、前記ユーザ・インターフェースは、前記薬物ライブラリ編集ソフトウェアを使用して前記少なくとも１つの薬物ライブラリを編集するためにユーザによって使用され、前記薬物ライブラリを作成することは、前記複数のユーザ・セットの中の適切なユーザを含み、前記適切なユーザは前記複数の特権のセットによって定義される、ステップと、
機関のマスター薬剤リストを指定するステップと、
前記機関の１つまたは複数の部分のための薬剤レコードを定義するステップと、
前記定義された薬剤レコードを検証するステップと、
前記機関内の少なくとも１つの医療機器に公開するために前記薬物ライブラリを承認するステップと
を含む方法である。
本発明の第２３９の態様は、
前記複数の特権のセットの１つが、編集の特権を割り振る第２３８の態様の方法である。
本発明の第２４０の態様は、
前記複数の特権のセットの１つが、点検を行う特権を割り振る第２３８の態様の方法である。
本発明の第２４１の態様は、
前記マスター薬剤リストを指定するステップが、処方データベースからいくつかの薬剤を選択するステップを含む第２３８の態様の方法である。
本発明の第２４２の態様は、
前記機関の１つまたは複数の部分のための薬剤レコードを定義するステップが、前記機関の前記１つまたは複数の部分各々について、前記マスター薬剤リストから所望の薬剤を選択するステップを含む第２３８の態様の方法である。
本発明の第２４３の態様は、
前記機関の１つまたは複数の部分のための薬剤レコードを定義するステップが、前記所望の薬剤各々にいくつかのパラメータを定義するステップを含む第２４２の態様の方法である。
本発明の第２４４の態様は、
前記定義された薬剤レコードを検証するステップが、前記定義された薬剤レコードを点検するステップを含む第２３８の態様の方法である。
本発明の第２４５の態様は、
前記定義された薬剤レコードを検証するステップが、前記定義された薬剤レコードを編集および改訂するステップを含む第２３８の態様の方法である。
本発明の第２４６の態様は、
薬物ライブラリ・ファイルを生成するステップが、前記薬物ライブラリ・ファイルが検査用の医療機器で検査される試験的作成段階を前記薬物ライブラリ・ファイルに実行するステップをさらに含む第２３８の態様の方法である。
本発明の第２４７の態様は、
薬物ライブラリ・ファイルを生成するステップが、前記薬物ライブラリ・ファイルが模擬的な医療機器のユーザ・インターフェース上で検査される試験的作成段階を前記薬物ライブラリ・ファイルに実行するステップをさらに含む第２３８の態様の方法である。
本発明の第２４８の態様は、
前記定義された薬剤レコードを検証するステップが、模擬的な医療機器のユーザ・インターフェースを使用して前記定義された薬剤レコードを点検するステップを含む第２３８の態様の方法である。
本発明の第２４９の態様は、
薬物ライブラリ・ファイルを少なくとも１つの医療機器に配置する方法であって、
前記薬物ライブラリ・ファイルを作成するステップと、
前記少なくとも１つの医療機器に公開するために前記薬物ライブラリ・ファイルを承認するステップと、
薬物エラー低減システムのエディタ・サービスを介してユーザに通知を送信するステップと、
前記薬物ライブラリ・ファイルを機器ゲートウェイにダウンロードするステップと、
前記機器ゲートウェイが前記少なくとも１つの医療機器と通信することができるネットワークを介して、前記少なくとも１つの医療機器に前記薬物ライブラリ・ファイルを配布するステップと
を含む方法である。
本発明の第２５０の態様は、
前記薬物ライブラリ・ファイルを機器ゲートウェイにダウンロードすることをユーザが指令するステップをさらに含む第２４９の態様の方法である。
本発明の第２５１の態様は、
医療機器のリストから前記少なくとも１つの医療機器を選択するステップをさらに含む第２４９の態様の方法である。
本発明の第２５２の態様は、
前記機器ゲートウェイが周期的に前記薬物ライブラリ・ファイルの更新があるかどうかを確認するステップをさらに含む第２４９の態様の方法である。
本発明の第２５３の態様は、
前記少なくとも１つの医療機器が前記薬物ライブラリ・ファイルの有効性を検証するステップをさらに含む第２４９の態様の方法である。
本発明の第２５４の態様は、
前記薬物ライブラリ・ファイルの有効性の検証が成功し、更新された場合に、前記少なくとも１つの医療機器の各々から前記機器ゲートウェイに確認メッセージを送信するステップをさらに含む第２５３の態様の方法である。